【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
スマートカード端末アプリケーションとスマートカード上のスマートカードアプリケーションとの間の相互運用方法であって、該相互運用方法は、
スマートカード端末のフレームワークに書き込まれているアプリケーションプログラムインタフェース（ＡＰＩ）を取得するステップ、
前記スマートカードアプリケーションに関連する情報を前記ＡＰＩから取得するステップ、及び
前記ＡＰＩから取得された前記情報を、前記スマートカードアプリケーションに対応する前記スマートカード端末アプリケーションを開発するために提供するステップ、
を含む、相互運用方法。
【請求項２】
請求項１に記載の相互運用方法において、前記スマートカードアプリケーションに関連する情報を前記ＡＰＩから取得するステップは、（i）前記スマートカードアプリケーションのインタフェース、（ii）前記スマートカードアプリケーションによって使用されるプロトコル、及び（iii）前記スマートカードのセキュリティモデルのうちの少なくとも１つを取得するステップを含む、相互運用方法。
【請求項３】
請求項１に記載の相互運用方法であって、前記フレームワークは、前記スマートカード端末において前記スマートカードのセキュリティモデルを実施する使用管理コンポーネントを含む、相互運用方法。
【請求項４】
請求項１に記載の相互運用方法において、前記フレームワークは、前記スマートカードのエラーを検出するエラー状態管理コンポーネントを含む、相互運用方法。
【請求項５】
請求項１に記載の相互運用方法であって、前記フレームワークは、前記スマートカードと前記スマートカード端末との間の安全な通信チャネルを作成する使用管理コンポーネントを含む、相互運用方法。
【請求項６】
請求項１に記載の相互運用方法であって、端末ポリシー又は制約をさらに定義するように前記スマートカード端末アプリケーションを構成するステップをさらに含む、相互運用方法。
【請求項７】
スマートカード端末上でスマートカードのセキュリティモデルを実施する方法であって、該方法は、
前記スマートカード端末のデータ及び管理のフレームワークから前記スマートカードの前記セキュリティモデルを取得するステップ、及び
前記データ及び管理のフレームワークから取得された前記セキュリティモデルを、前記スマートカードに対応する前記スマートカード端末アプリケーションを開発するために提供するステップ
を含む、方法。
【請求項８】
請求項７に記載の方法において、前記スマートカード端末のデータ及び管理のフレームワークから前記スマートカードの前記セキュリティモデルを取得するステップは、前記データ及び管理のフレームワークに適用されるＡＰＩを読み取るステップを含む、方法。
【請求項９】
請求項７に記載の方法であって、前記フレームワークは、
前記セキュリティモデルによって定義されるエラー状態を検出するステップ、及び
前記エラー状態を検出すると、該エラー状態に対応するエラーメッセージを送信するステップ
のためのエラー状態管理コンポーネントを含む、方法。
【請求項１０】
スマートカード端末のためのスマートカード端末インフラストラクチャであって、該端末インフラストラクチャは、
データ及び管理のフレームワークと、
前記データ及び管理のフレームワークの中にあり、スマートカード上のスマートカードアプリケーションに関連する情報を取得するインタフェースコンポーネントであって、前記情報により前記スマートカードアプリケーションに対応する端末アプリケーションの開発が可能になる、インターフェースコンポーネントと、
前記データ及び管理のフレームワークの中にあり、前記スマートカード及び前記スマートカード端末と通信する通信コンポーネントと、
を備えている、スマートカード端末インフラストラクチャ。
【請求項１１】
請求項１０に記載のスマートカード端末インフラストラクチャにおいて、前記スマートカード上の前記スマートカードアプリケーションに関連する前記情報は、（i）前記スマートカードアプリケーションのインタフェース、（ii）前記スマートカードアプリケーションによって使用されるプロトコル、及び（iii）前記スマートカードのセキュリティモデルのうちの少なくとも１つである、スマートカード端末インフラストラクチャ。
【請求項１２】
請求項１０に記載のスマートカード端末インフラストラクチャにおいて、前記スマートカードのエラーを検出するエラー状態管理コンポーネントをさらに備えている、スマートカード端末インフラストラクチャ。
【請求項１３】
請求項１２に記載のスマートカード端末インフラストラクチャにおいて、前記エラー状態管理コンポーネントは、さらに、エラーが検出されるとエラーメッセージを前記通信コンポーネントに中継するように動作する、スマートカード端末インフラストラクチャ。
【請求項１４】
請求項１３に記載のスマートカード端末インフラストラクチャにおいて、前記通信コンポーネントは、（i）前記スマートカード端末の前記エラーメッセージを表示装置上に表示すること、（ii）前記エラーメッセージに対応するログエントリを作成すること、及び（iii）前記エラーメッセージをアプリケーションに送信することのうちの少なくとも１つによって、前記エラーメッセージを中継する、スマートカード端末インフラストラクチャ。
【請求項１５】
スマートカード端末とスマートカード上のスマートカードアプリケーションとの間の相互運用方法であって、該相互運用方法は、
スマートカード端末においてデータ及び管理のフレームワークを露出するステップ、
前記スマートカードアプリケーションに対応するＡＰＩを前記データ及び管理のフレームワークにおいて受け取るステップ、
前記スマートカードアプリケーションに関連する情報を前記ＡＰＩから取得するステップ、及び
前記ＡＰＩから取得された情報を、前記スマートカードアプリケーションに対応する端末アプリケーションを開発するために提供するステップ
を含む、相互運用方法。
【請求項１６】
請求項１５に記載の相互運用方法において、
前記ＡＰＩから取得された前記情報に基づいて開発された前記端末アプリケーションから前記スマートカードアプリケーションへの通信を受け取るステップ、及び
前記通信を前記スマートカードへの統一インターフェースを介して前記スマートカードアプリケーションに中継するステップ
を含む、相互運用方法。
【請求項１７】
請求項１５に記載の相互運用方法において、前記スマートカードアプリケーションに関連する情報を前記ＡＰＩから取得するステップは、（i）前記スマートカードアプリケーションのインタフェース、（ii）前記スマートカードアプリケーションによって使用されるプロトコル、及び（iii）前記スマートカードのセキュリティモデルのうちの少なくとも１つを取得するステップを含む、相互運用方法。
【請求項１８】
スマートカード端末上でスマートカードのセキュリティモデルを実施する方法であって、該方法は、
スマートカード端末においてデータ及び管理のフレームワークを露出するステップ、
前記スマートカードアプリケーションに対応するＡＰＩを前記データ及び管理のフレームワークにおいて受け取るステップ、
前記スマートカードアプリケーションに関連しており前記スマートカードアプリケーションのセキュリティモデルを含む情報を前記ＡＰＩから取得するステップ、及び
前記セキュリティモデルを、前記スマートカードアプリケーションに対応する端末アプリケーションを開発するために提供するステップ
を含む、方法。
【請求項１９】
請求項１８に記載の方法において、
前記セキュリティモデルによって定義されるエラー状態を検出するステップ、及び
前記エラー状態が検出されると、前記エラー状態に対応するエラーメッセージを送信するステップ
をさらに含む、方法。
【請求項２０】
請求項１８に記載の方法において、前記スマートカード端末の前記データ及び管理のフレームワークから前記スマートカードの前記セキュリティモデルを取得するステップは、前記データ及び管理のフレームワークに適用されるＡＰＩを読み取るステップを含む、方法。